(57)【特許請求の範囲】
【請求項１】
容器１の口部２上端部外周に形成された凹条３；前記口部２に装着された、前記凹条３に係合した凸条４を設けた筒部５を有する合成樹脂製の中蓋８；該中蓋８に、ヒンジ９を介して一体に設けられた外蓋１０；前記中蓋８に、前記中蓋８の中心８１に対して前記ヒンジ９の、巾方向の両端部９１、９２方向に直角な直径により形成された仮想線８２、８３；前記中蓋８の、前記仮想線８２、８３によって分けられるところの、前記ヒンジ９側の部分１２の前記筒部５に、前記筒部５の下端部１３から上方に向い、前記凸条４を横切って形成された弱化部１４；前記弱化部１４に連続し、前記凸条４の上側に、かつ該凸条４に沿って形成された、裂切り自在の弱化ライン１５；該弱化部１４が前記凸条４を横切って裂切られ、前記外蓋１０を上方に引き上げた際に、前記凹条３と前記凸条４との係合の係合強さよりも、大きい引っ張り強度を有して形成されている前記ヒンジ９；から成る容器の開閉装置であって；
前記弱化部14が、前記筒部５の下端部１３から前記筒部の弱化ライン１５まで伸びており、
前記弱化ライン１５が、前記中蓋８の、前記仮想線８２、８３によって分けられるところの、前記ヒンジ９側の部分１２の前記筒部５に、設けられていることを特徴とする容器の開閉装置。
【請求項２】
弱化部１４は、筒部５の周方向において、ヒンジ９に対応する位置に形成されている請求項１記載の容器の開閉装置。
【発明の詳細な説明】
【０００１】
【産業上の利用分野】
この発明は各種液体商品、又は粉体商品等を収容する容器の口部に形成して用いられる、容器の開閉装置に関する。更に詳しくは容器、又はキャップ等を資源として回収するのに適した容器の開閉装置に関する。
【０００２】
【従来の技術】
従来、合成樹脂製の蓋体を用いた容器の開閉装置において、その蓋体を装着した容器、又はその蓋体自体を資源のリサイクルのために回収することが行われている。この場合一例として図７に示すように行なわれる。同図において５１は容器であり、５２はその口部、５３は係合用の凹条である。又５４は合成樹脂製の中蓋であり、筒部５５、口壁５６を有している。５７はヒンジ５８によって一体に設けられた外蓋を示す。
【０００３】
そして前記筒部５５には、前記凹条５３に係止する凸条５９が形成されている。この中蓋５４を前記口部５２に装着する場合、打栓形式により一度の打撃で装着できるようになっている。６０は前記凸条５９の上部に、かつ筒部５５の全周に亘って形成された薄肉状の弱化ラインであり、該弱化ライン６０は、筒部５５の下端部６１から上方に形成された弱化部６２に接続されている。６３はつまみであり、その基端部６４が、前記弱化ライン６０と弱化部６２の接続点６５の近傍に設けられている。このように構成されたこの容器の開閉装置の容器５１、又は中蓋５４、外蓋５７から成る蓋体６６を回収する場合は、つまみ６３を摘んで周方向に引っ張り、弱化部６２及び弱化ライン６０を裂き切り、前記筒部５５から前記凸条５９を切り離し、ついで蓋体６６を前記口部５２から離脱させ、容器５１又は蓋体６６を資源として回収する。
【０００４】
【発明が解決しようとする課題】
しかし前記従来の容器の開閉装置は次のような難点を有している。それは弱化ライン６０が筒部５５の全周に亘って形成されていることである。このような構造は筒部５５の周方向の引張り強度を低くさせ、中蓋５４、容器５１の口部５２双方の製品のバラツキにより、前記口部５２が通常より大径にでき、前記中蓋５４が通常より小径に形成された場合、打栓の際に前記弱化ライン６０が破損する恐れを有する。かつ又弱化ライン６０を筒部５５の全周に形成することは構造を複雑にし、金型の製造が面倒である。
【０００５】
この発明は上記のような問題を解決するためになされたもので、その目的は、前記従来例に示したような、打栓の際に弱化ライン６０の破損の恐れのない、かつ構造も複雑でなく、比較的簡単であり、従って金型の製造も容易な、容器の開閉装置を提供することである。
【０００６】
【課題を解決するための手段】
この発明は、容器１の口部２上端部外周に形成された凹条３；前記口部２に装着された、前記凹条３に係合した凸条４を設けた筒部５を有する合成樹脂製の中蓋８；該中蓋８に、ヒンジ９を介して一体に設けられた外蓋１０；前記中蓋８に、前記中蓋８の中心８１に対して前記ヒンジ９の、巾方向の両端部９１、９２方向に直角な直径により形成された仮想線８２、８３；前記中蓋８の、前記仮想線８２、８３によって分けられるところの、前記ヒンジ９側の部分１２の前記筒部５に、前記筒部５の下端部１３から上方に向い、前記凸条４を横切って形成された弱化部１４；前記弱化部１４に連続し、前記凸条４の上側に、かつ該凸条４に沿って形成された、裂切り自在の弱化ライン１５；該弱化部１４が前記凸条４を横切って裂切られ、前記外蓋１０を上方に引き上げた際に、前記凹条３と前記凸条４との係合の係合強さよりも、大きい引っ張り強度を有して形成されている前記ヒンジ９；から成る容器の開閉装置であって；  前記弱化部14が、前記筒部５の下端部１３から前記筒部の弱化ライン１５まで伸びており、前記弱化ライン１５が、前記中蓋８の、前記仮想線８２、８３によって分けられるところの、前記ヒンジ９側の部分１２の前記筒部５に、設けられていることを特徴とする。この発明の弱化部１４は、筒部５の周方向において、ヒンジ９に対応する位置に形成されていることを特徴とする。
【０００７】
【作用】
この発明は前記のように構成され、消費者等が使用の際は裂溝６を裂切り、口壁７に通口を形成して容器１内の図示しない液体商品等を注出して使用する。そして内容商品等を消費し、次にその容器１又は外蓋１０を設けた中蓋８を資源として回収する場合、まず中蓋８の筒部５の、下端部１３から上方に向けて形成された弱化部１４を、下部から上方に向けて裂切る。そうすると前記弱化部１４は、前記筒部５に形成した周方向の凸条４を上下方向に横切っており、このため前記凸条４は上下方向に切断されることになり、前記凹条３との係合の係合強さは弱められる。ここにおいて外蓋１０を持って上方に引き上げると、更にヒンジ９の引っ張り強度は、前記弱化部１４の切断により係合の弱められた前記両条３、４の係合の係合強さよりも大きく形成されていることにより、前記従来の構造のものよりも簡単な構造にもかかわらず、容易に前記中蓋８を、前記口部２から外し取ることができる。従って容器１、又は外蓋１０を設けた中蓋８を容易に回収することができる。
又、前記中蓋８に、前記中蓋８の中心８１に対して、前記ヒンジ９の、巾方向の両端部９１、９２方向に直角な直径により形成された仮想線８２、８３によって分けられるところの、前記ヒンジ９側の部分１２の前記筒部５に、前記筒部５の下端部１３から上方に向い、前記凸条４を横切って弱化部１４が形成されているので、前記弱化部１４が、前記凸条４を横切って裂切られ、前記外蓋１０を上方に引き上げると、その場合、前記ヒンジ９の引っ張り強度は、前記両条３、４の係合の係合強さよりも大きく形成されていることにより、かつ又前記凸条４を横切った弱化部１４の横断部は前記仮想線８２、８３によって分けられたヒンジ９側の部分１２に形成されていることにより、ヒンシ９を上方に引っ張る力は効果的に前記横断部に直達し、従って容易にその係合を外すことができる。従って前記従来の構造よりも簡単な構造にもかかわらず、容易に前記中蓋８を、前記口部２から外しとることができ、これにより容器１又は外蓋１０を有する中蓋８を容易に回収できる。又、前記のような構成において、口壁７を有し、かつ口壁７に無端状の裂溝６を有するものは、最初の開放迄充分な密閉を保つことができる。又弱化部１４が筒部５の周方向において、ヒンジ９に対応する位置に形成されているものは、ヒンジ９の上方への引っ張りによる力が至距離で直達するから、きわめて容易に前記横断部の前記両条３、４の係合を外すことができる。又弱化部１４が凸条４の上側で、凸条４に沿って形成された弱化ライン１５に接続しているものは、前記弱化ライン１５も裂切ることができるから、前記両条３、４の係合は、凸条４の切断に加えて一層弱められるから、一層容易に前記両条３、４の係合を外すことができる。
【０００８】
【発明の実施の形態】
図１〜図３は参考例を示す図で、図１は容器の開閉装置の断面図、図２は容器の開閉装置の、外蓋を開放した中蓋の平面図、図３は図１に示す装置の作用を説明する図であり、又、図４、図５、図６は、本件発明の実施例を示す図で、図４は第１実施例の容器の開閉装置の断面図、図５は図４に示す装置の、外蓋を伴った中蓋のみの背面図、図６は第２実施例を示す一部断面図である。なお、前記各図面において、同一図面符号はその名称も機能も同一である。
図１及び図４において１は容器であり、一例として瓶を示す。そしてこの場合同瓶はガラス製でも、合成樹脂製でも差支えはない。２はその口部であり、その上端部外周に、環状の凹条３が形成されている。８は合成樹脂、一例としてポリエチレン又はポリプロピレンにより形成された中蓋であり、筒部５、口壁７を有している。そして同口壁７には無端状の裂溝６が形成され、筒部５の内側には前記凹条３と係合して凸条４が設けられている。なお１７は口壁７に設けられた裂取部材、１８は注筒、１９は後記外蓋１０との掛合部材、２０は内筒を示す。そして前記内筒２０と筒部５は前記口部２を内外から圧接挟持している。１０は外蓋であり、ヒンジ９を介して前記中蓋８に一体に設けられている。そして図２に示すように前記中蓋８に、前記中蓋８の中心８１に対して、前記ヒンジ９の巾方向の両端部９１、９２方向に直角な直径により仮想線８２、８３が形成される。そして前記中蓋８の、前記仮想線８２、８３によって分けられるところの、前記ヒンジ９側の部分１２において、前記筒部５に、前記筒部５の下端部１３から上方に向い、前記凸条４を横切って弱化部１４が形成されている。この弱化部１４は一例として切欠き２１とこれに連続する薄肉部２２から成っている。なおこの弱化部１４は、前記のように切欠き２１、薄肉部２２の外、図示しないミシン目及び連続した小孔、又はそれらの組合せ等によって形成されてもよく、要するに裂切り易く形成されて弱化された部分であればよい。そしてこの弱化部１４は前記凸条４を上下方向に横切って形成されており、この弱化部１４を裂切ることにより、凸条４は切れ、周方向に変形し易く即ち伸び易くなるようになっている。
【０００９】
次に前記ヒンジ９の引っ張り強度について述べると、この部分の引っ張り強度は、前記弱化部１４が裂き切られ、これにより前記凸条４が切り離されて凹条３との係合が弱められた場合、前記外蓋１０を持って上方に引き上げた際に、前記両条３、４の係合の係合強さよりも大きく形成されている。次に、前記弱化部１４の位置について述べると、図１及び図５に示す中蓋８においては前記筒部５の、ヒンジ９に対応する部分に形成されており、これにより弱化部１４を裂切ってヒンジ９を上方に引っ張る際に前記両条３、４の係合が一層外れ易いようになっている。
なおこの場合図３に示すように外蓋１０を摘んで上方に引っ張るため、比較的面積の広い部分であるから、充分に、確実に保持することができ、かつ又同図に示す蓋筒部２３を指２４に掛止させることができるから辷ることなく、充分に大きな力を加えることができる。
なお前記弱化部１４は図６に示すようにヒンジ９に、上下方向において対応しない部分に形成されてもよい。この場合弱化部１４は、図２に示す仮想線８２、８３により分けられる、前記ヒンジ９側の部分１２の、前記筒部５に形成されていることにより弱化部１４を裂切り、ヒンジ９を上方に引っ張る際に前記両条３、４の係合の外れを容易にするからである。
【００１０】
次に本件実施例では、図５、図６に示すもののように、前記弱化部１４が、前記凸条４の上に全周に亘ることなく、部分的に形成された、周方向の弱化ライン１５に接続されている。この場合弱化部１４を裂き切ってから、ついで弱化ライン１５も裂切ることにより一層前記両条３、４の係合を外れ易くすることができる。なおこの場合該弱化ライン１５が前記仮想線８２、８３により分けられるヒンジ９側の部分１２の、前記筒部５に形成されることは勿論である。
そしてこのように形成されたものは外蓋１０を上方に引っ張る場合に単に上方だけでなく斜上方に、即ち、いわゆるひねりを加えて引っ張ることにより上方への力に周方向の力を加えることができ、一層前記両条３、４の係合を外し易くすることができる。
なおこのような方法は、本件実施例のように、弱化部１４に前記弱化ライン１５を接続した場合でも、又は弱化部１４をヒンジ９に対応しない位置に形成して、弱化ライン１５に接続した場合した場合でも、前記のように上方が周方向に、即ち斜め上方にいわゆるひねりを加えて引っ張ることができ、中心に対してモーメントを与えることができるから、これにより上方及び周方向の２方向に力を加えることができ、前記両条３、４の係合を外し易くすることができるのである。
【００１１】
【発明の効果】
前記請求項１記載の発明は、前記のように構成されたことにより、前記弱化部１４が、前記凸条４を横切って裂切られ、前記外蓋１０を上方に引き上げると、その場合、前記ヒンジ９の引っ張り強度は、前記両条３、４の係合の、係合強さよりも大きく形成されていることにより、かつ又前記凸条４を横切った弱化部１４の横断部は前記仮想線８２、８３によって分けられたヒンジ９側の部分１２に形成されていることにより、ヒンジ９を上方に引っ張る力は筒部５に対して接線方向の力を加味して、いわゆるひねりを与えることができ、効果的に前記横断部に直達し、従って容易にその係合を外すことができる。
【００１２】
従って、前記従来の構造よりも簡単な構造にもかかわらず、容易に前記中蓋８を、前記口部２から外しとることができ、これにより容器１又は外蓋１０を有する中蓋８を容易に回収できる。
前記請求項２記載の発明は、弱化部１４が、筒部５の周方向において、ヒンジ9に対応する位置に形成されているので、外蓋１０の上方への引っ張りによる力が至近距離で両条３、４の係合部に直達するから、きわめて簡単な構造であるにもかかわらず、容易に両条３、４の係合を外すことができ、外蓋１０を有する中蓋８を、容器１の口部２から外すことができる。
【図面の簡単な説明】
【図１】  この発明の参考例を示し、容器の開閉装置の断面図である。
【図２】  同じく容器の開閉装置の、外蓋を開放した中蓋の平面図である。
【図３】  図１に示す装置の作用を説明する図である。
【図４】  この発明の第１実施例を示し、容器の開閉装置の断面図である。
【図５】  図４に示す装置の、外蓋を伴った中蓋のみの背面図である。
【図６】  この発明の第２実施例を示し、容器の開閉装置の、外蓋を伴った中蓋の一部断面斜視図である。
【図７】従来の同種装置の部分断面図である。
【符号の説明】
１       容器
２       口部
３       凹条
４       凸条
５       筒部
６       裂溝
７       口壁
８       中蓋
９       ヒンジ
１０     外蓋
８２、８３ 仮想線
１２       ヒンジ側の部分
１３     下端部
１４     弱化部
１５     弱化ライン
【図１】
0004069264.tif 000002
【図２】
0004069264.tif 000003
【図３】
0004069264.tif 000004
【図４】
0004069264.tif 000005
【図５】
0004069264.tif 000006
【図６】
0004069264.tif 000007
【図７】
0004069264.tif 000008